(57)【要約】シロアリを監視し抑制するための圧縮した形状の組成物は、精製セルロースや微結晶セルロースとすることのできるセルロース材料を基本的毒餌として含んでいる。組成物はおよそ１．０３３ｇ／ｃｃ以上の最適密度に圧縮されている。さらにシロアリの侵入を監視し抑制する方法も開示され、この方法は、（ａ）上記の組成物を製造するステップと、（ｂ）餌場所に組成物を設置するステップと、（ｃ）シロアリに関し餌場所を一定の時間間隔で監視するステップと、（ｄ）餌場所へのシロアリの侵入を観察すると、上記組成物を、殺シロアリ剤を含有する毒餌組成物に取り替えるステップとを含む。【特許請求の範囲】
【請求項１】
精製セルロース及び微結晶セルロースから成る群から選択されたセルロース材料を基本的毒餌として含む、シロアリの監視と抑制とに用いるための圧縮した形状の組成物において、前記組成物はおよそ１．０３３ｇ／ｃｃ以上の最適密度に圧縮されることを特徴とする組成物。
【請求項２】
前記組成物は錠剤の形状をなすことを特徴とする請求項１に記載の組成物。
【請求項３】
前記セルロース材料は精製されたセルロースであることを特徴とする請求項１に記載の組成物。
【請求項４】
前記セルロース材料は微結晶セルロースであることを特徴とする請求項１に記載の組成物。
【請求項５】
さらにシロアリを殺害あるいは抑制するための有効成分を含有することを特徴とする請求項１に記載の組成物。
【請求項６】
さらにシロアリの誘引物質及び／またはフェロモンを含有することを特徴とする請求項１に記載の組成物。
【請求項７】
前記錠剤はおよそ１．０３３ｇ／ｃｃと１．３７７ｇ／ｃｃとの間の密度に圧縮されていることを特徴とする請求項２に記載の組成物。
【請求項８】
前記組成物は錠剤、練炭状及び被押出し形状から成る群から選択された圧縮形状をなすことを特徴とする請求項１に記載の組成物。
【請求項９】
シロアリの侵入を監視し抑制する方法において、以下のステップを含むことを特徴とする方法：
（ａ）精製セルロース及び微結晶セルロースから成る群から選択されたセルロース材料を含み、およそ１．０３３ｇ／ｃｃ以上の最適密度に圧縮される圧縮形状の組成物を製造するステップ、
（ｂ）前記組成物を餌場所に設置するステップ、
（ｃ）シロアリに関し前記場所を一定の時間間隔で監視するステップ、
（ｄ）前記餌場所へのシロアリの侵入を観察すると、前記餌場所の組成物を、殺シロアリ剤を含有する毒餌組成物と取り替えるステップ。
【請求項１０】
前記組成物は錠剤の形状をなすことを特徴とする請求項９に記載の方法。
【請求項１１】
前記セルロース材料は精製されたセルロースであることを特徴とする請求項９に記載の方法。
【請求項１２】
前記セルロース材料は微結晶セルロースであることを特徴とする請求項９に記載の方法。
【請求項１３】
前記組成物はさらにシロアリの誘引物質及び／またはフェロモンを含有することを特徴とする請求項９に記載の方法。
【請求項１４】
前記殺シロアリ剤はキチン質合成抑制剤、幼虫ホルモン模造物質、胃の毒物、接触殺虫剤及びこれらの混合物から成る群から選択されることを特徴とする請求項９に記載の方法。
【請求項１５】
前記錠剤はおよそ１．０３３ｇ／ｃｃと１．３７７ｇ／ｃｃとの間の密度に圧縮されていることを特徴とする請求項１０に記載の方法。
【請求項１６】
前記組成物は錠剤、練炭状及び被押出し形状から成る群から選択された圧縮形状を成すことを特徴とする請求項９に記載の方法。
【請求項１７】
前記圧縮形状の組成物は、およそ５１６と１３７７ｋｇ／ｃｍ２との間の錠剤化圧力を加えて製造される錠剤の形状を成すことを特徴とする請求項９に記載の方法。
【請求項１８】
前記合成抑制剤はヘキサフルムロン（hexaflumuron）、フルフェノクスロン（flufenoxuron）、ルフェヌロン（lufenuron）及びジミリン（dimilin）から成る群から選択されることを特徴とする請求項１４に記載の方法。
【請求項１９】
前記合成抑制剤はジミリン（dimilin）であることを特徴とする請求項１８に記載の方法。
【請求項２０】
シロアリの侵入を抑制する方法において、以下のステップを含むことを特徴とする方法：
（ａ）精製セルロース及び微結晶セルロースから成る群から選択されたセルロース材料と、殺シロアリ剤とを含み、１．０３３ｇ／ｃｃ以上の最適密度に圧縮される圧縮した形状の組成物を製造するステップ、
（ｂ）前記組成物を餌場所に設置するステップ。
【請求項２１】
前記組成物は錠剤の形状を成すことを特徴とする請求項２０に記載の方法。
【請求項２２】
前記セルロース材料は精製されたセルロースであることを特徴とする請求項２０に記載の方法。
【請求項２３】
前記セルロース材料は微結晶セルロースであることを特徴とする請求項２０に記載の方法。
【請求項２４】
前記殺シロアリ剤はジミリン（dimilin）であることを特徴とする請求項２０に記載の方法。
【発明の詳細な説明】
【技術分野】
【０００１】
本発明はシロアリの侵入を監視し抑制するための組成物及び方法に関し、特に、シロアリ餌場所に設置されたときに毒餌積載能力を増大させるに最適の密度で所望の形状（例えば錠剤）に成型または圧縮された精製されたセルロース及び／または微結晶セルロースを利用した、毒餌組成物を提供する上記の組成物及び方法に関する。
【背景技術】
【０００２】
シロアリは住居、建造物、その他各種構造物に対するその破壊的影響でよく知られている。シロアリの侵入による被害は甚大な経済的損失や、構造の安全への懸念、建築学的に貴重な構造物の破壊をもたらす。１９９０年代以前、最も広く受け入れられたシロアリの侵入を抑制する方法は、保護すべき構造物の周りに一定の間隔で塹壕を掘り、すなわち穴をあけて、殺虫剤を浴びせる、すなわち注入してシロアリ毒バリアを作ることであった。この方法はしばしば有効であるが、自然環境や周囲への影響などに対する懸念がこの抑制方法をときどき不適当なものにする。これらの不都合を克服するためにシロアリ餌やり技術が開発された。
【０００３】
現在のシロアリ餌やり技術の１つの戦略は、通常、穿孔と取り外し可能な上端部とを有する中空管の何らかの変形である餌場所を、例えば約２４４ｃｍから約３０５ｃｍ（８から１０フィート）の一定の間隔で構造物の外周の周りに埋設し、ある種の木材やセルロースを毒餌の場所すなわち監視基盤に加えることである。この時、場所は正規の基盤上のシロアリに関して例えば１月間隔で監視される。木材やセルロースの毒餌はシロアリに侵入されたことが観測されると、シロアリを殺害または抑制する有効成分を含有した毒餌と取り換えられる。代表的には、毒餌を含有する作用物質は紙あるいは木材を主成分とする生成物である。
【発明の開示】
【発明が解決しようとする課題】
【０００４】
各餌場所は地下に設置しなければならないから、穴を一定間隔で掘る必要がある。岩石から成り硬盤の土壌は、この作業を非常に労働集約的な、したがって費用のかかるものにしがちである。したがって挿し込み穴はできるだけ小さくつくるのが望ましい。直径がおよそ５．０８ｃｍ（２インチ）かそれ未満の穴の大きさは、今日慣用される１人力用の穴明け装置にとって最も都合がいい。ところが、この直径約５．０８ｃｍ（２インチ）の穴の大きさは、餌場所に含有できる現在入手可能な木材または有効な毒餌の量を制限する。現在手に入るシロアリの毒餌は、当業で使用される木材と紙の生成物である毒餌材料の空気のすきまのために、最適の密度にはない。したがって現在の約５．０８ｃｍ（２インチ）の餌場所の毒餌装填能力は、餌場所を監視し再充填する時間をおよそ１月かそれ未満に制限している。
【０００５】
監視間隔を長い時間周期に延長できれば、実質的な労力の節減は実現できる。既存の餌場所の設計を約１０．１６＋ｃｍ（４＋インチ）の直径にすれば、監視時間は９０日に延びるが、設置に約１０．１６ｃｍ（４インチ）の杭穴を掘る装置を用いなければならない。これは今度は大きく重い装置か、極めて労働集約的な杭穴掘り作業者かを必要とする。両方法とも穴から掘り出された相当量の土壌を発生させ、労賃をさらに加える処理が必要となる。このような大きな餌場所を用いることの労賃の積み増しは、設置費用を補償しない。
【０００６】
監視時間を延長することの他の利益は、場所は頻繁に開かれて監視されないから、シロアリは少ない回数しか邪魔されないことである。シロアリはしょっちゅう邪魔される領域は放棄するだろう。
【０００７】
米国特許第５，０９６，７１０号及び５，３００，２９３号は、主要成分として（ａ）少なくとも１つの虫成長抑制剤と、（ｂ）植物油入りの、あるいは入らないデキストリンと、（ｃ）植物油と、を含んだ錠剤形状の毒餌組成物を対象としている。両特許とも特に、およそ１０からおよそ５００ｋｇ／ｃｍ２の錠剤化圧力に言及している。
【０００８】
シロアリ餌場所に最大の毒餌重量を装填させて、監視時間を延長し労働コストを削減する改良型の毒餌組成物と方法とに対して、要求は残されている。
【課題を解決するための手段】
【０００９】
本発明のいくつもの目的の中で、着目点は、基本の毒餌としてセルロース材料を含み、およそ１．０３３ｇ／ｃｃ以上の最適密度に圧縮した圧縮形状の、シロアリの監視と抑制とに用いるための組成物を提供することと、錠剤の形状に好ましく圧縮された上記の組成物を提供することと、シロアリの餌場所に装填できる毒餌の量を最大にする組成物を提供することと、圧縮した形状の上記の組成物を用いることにより侵入を監視し抑制する方法を提供すること、である。その他の目的は一部は明らかであり、一部は以下に指摘される。
【００１０】
要約すれば本発明は、精製セルロース及び微結晶セルロースから成る群から選択されたセルロース材料を基本的毒餌として含む、シロアリの監視と抑制とに用いるための、１．０３３ｇ／ｃｃ以上の最適密度に圧縮された圧縮形状の組成物に関する。本発明はさらに以下のステップ、すなわち（ａ）精製セルロース及び微結晶セルロースから成る群から選択されたセルロース材料を含む、１．０３３ｇ／ｃｃ以上の最適密度に圧縮された圧縮形状の組成物を製造するステップと、（ｂ）組成物を餌場所に設置するステップと、（ｃ）シロアリの存在に関し餌場所を一定期間で監視するステップと、（ｄ）餌場所にシロアリの侵入を観察すると、殺シロアリ剤を含有する毒餌組成物を加えるステップと、を含むシロアリの侵入を監視し抑制する方法にも関する。本発明はまた、シロアリの侵入を直接抑制する方法にも関し、これは殺シロアリ剤を含有する上記のような組成物を製造することと、組成物を餌場所に設置することと、を含む。したがって、餌場所が地面に設置されると同時に防護が始まり、防護は最適の密度により現行の毒餌よりも長期間に亘って提供される。
【発明の効果】
【００１１】
本発明により、今や、精製セルロースや微結晶セルロースを基本的毒餌として含む組成物を、およそ１．０３３ｇ／ｃｃ以上の最適密度に圧縮することにより、シロアリ餌場所への最大の装填が達成され、その結果餌場所の監視と再充填とに必要な時間間隔が延長できることが認められた。本発明の実施により、現行のシロアリ毒餌使用法の改良は、まずシロアリの基本的毒餌組成物を１．０３３ｇ／ｃｃ以上の最適密度で特注の物質形状、例えば錠剤形状に加工することにより実現される。こうすることで毒餌組成物の形状と形態多能を可能にし、今日市場で入手できるシロアリ餌場所に対する監視及び抑制用毒餌の装填が、現行の商業的毒餌よりも実質的に多量となる。
【発明を実施するための最良の形態】
【００１２】
後に提示する錠剤化の検討から分かるように、本発明の組成物に対する最適の圧縮／密度のパラメータには、約１．１９６ｇ／ｃｃの密度、６８８．７１ｋｇ／ｃｍ２の領域圧縮圧、１０，０００ｌｂｓ．の圧縮圧、及び３．３２の圧縮比率とがある。
【００１３】
本発明の実際を実行するには、精製セルロースや微結晶セルロースでもよいセルロース材料を含む、圧縮した形状の組成物を製造する。セルロース材料は、「Lattice NT-020 Microcrystalline」セルロースの商標で売られている、２０マイクロメーターの平均粒子サイズを有する粉末形状の微結晶セルロース（FMC Corporation）や、「Solka Floc」（International Fiber Corp.）の商標で売られている、２０から１００マイクロメーターの範囲の平均粒子サイズを有する非結晶セルロースでもよい。その他の銘柄の精製セルロースや微結晶セルロースも本発明の実施に使用できる。セルロース組成物は錠剤、練炭状、パレット、大釘状、顆粒、あるいは、錠剤プレスやローラー成形、その他当業者に周知の方法により製造可能な被押出し形状に圧縮する。
【００１４】
TC-223 Termite Bait Powder（０．２５％のジミリン［ジフルベンズロン］（dimilin）［diflubenzuron］と残りが「Lattice NT-020」や「Solka Floc」のセルロース）などの製品は、一般にシロアリの摂食によく適しており、その微細な粒子サイズのためシロアリとの最大の接触をもたらす。ところが、これが有する１つの不都合は体積密度の低さであり、これにより餌場所の管に装填できる量が通常の充填装置だと最大２７グラムに制限される。研究所のシロアリコロニーにおけるシロアリ給餌率の研究は、ＴＣ−２２３処方を根拠とする週あたり９グラムの摂食は妥当な見積であると指摘している。実世界の状況では、この割合はシロアリの種類、シロアリの集団の大きさ、餌源の変更、天候などの効力により劇的に変化するが、説明のために週あたり９グラムの割合を用いることにする。この割合だと、２７グラムのTC-223 Termite Bait Powderが充填された従来の餌場所の管は３週間で空になり、毒餌を監視し空の毒餌管を取り替えるのに使用される標準的な１月の時間よりは実質的に少ない。本発明によれば、例えば１０週間の監視期間は、１０，０００lbs.の圧縮圧を使って１１週に、１５，０００lbs.の圧力を使って１２週に、２０，０００lbs.の圧力を使って１３  1/2週に延長できる。
【００１５】
使用されるセルロース材料が粒状ではなく粉末状であれば、圧縮する前か圧縮中にこれを脱気して、「キャッピング(capping)」を防がなければならない。これは、圧縮処理後圧力を急激に解放すると錠剤の層状化が起こる状態である。粉末は大量の空気を含み、空気は圧縮中に逃がされないまま圧縮される。圧力が解放されると、空気はその元の体積に戻り、錠剤にひび割れや積層構造を引き起す。
【００１６】
シロアリの監視と抑制とに用いる本発明の組成物はさらに、セルロース材料に加えて追加的なシロアリ誘引物質及び／またはフェロモンを含有できる。紙やその他の形状のセルロースなど当業者に周知の任意のシロアリ誘引物質が使用できる。
【００１７】
餌場所の監視によりシロアリの存在が確認されると、餌場所の組成物は、シロアリの殺害または抑制剤すなわち殺シロアリ剤を含有する毒餌組成物の充填を受ける。周知のシロアリの殺害または抑制剤すなわち殺シロアリ剤はどれも本発明の実施に使用できる。これらには、ヘクサフルムロン（hexaflumuron）、フルフェノクスロン（flufenoxuron）、ルフェヌリン（lufenurin）及びジフルベンズロン［ジミリン］（diflubenzuron）［dimilin］などのキチン質合成抑制剤；メソプレン及びピリプロキシフェン（pyriproxyfen）などの幼虫ホルモン模造物質；サルファアミド（sulfuramide）、アバメクチン（abamectin）、氷晶石、ホウ酸及びほう酸のアルカリ並びにアルカリ土類塩などの胃の毒物；チアメトキサム（thiamethoxam）、イミジクロプリド（imidicloprid）及びフィプロニル（fipronil）、あるいはこれら化学薬品の混合物または化合物などの接触殺虫剤がある。毒餌組成物は、シロアリの殺害または抑制剤を０．０１から１０重量％の多様な濃度で含むことができる。
次例で本発明の実際を説明する。
【実施例１】
【００１８】
いくつかの圧縮特性と処方パラメーターとをテストするために、標準的な内径約２．８５７５ｃｍ（１．１２５インチ）のテスト押し型キットを装備したカーバー１５トンプレス３８８９型（Carver Model 3889 15 Ton Press）を用いた。採用したカーバープレスは顎部に加熱圧盤の装備はなかった。
【００１９】
標準的な押し型は、精密に標準的毒餌管（内径約３．１７５ｃｍ（１  1/4インチ））に嵌合する錠剤を製造する。管は錠剤の高さによって５以上の錠剤を収容する。錠剤の高さは処方の重量、物質形状（粉末や微細な粒）、及び圧縮圧の関数である。評価中、処方重量を圧縮テスト毎に１５グラムに一定に保った。TC-223の粉末と微細顆粒の両方を数回の圧縮圧により評価した。粉末の脱気は、押し型に１０グラムの粉末を充填して押し型にアッパパンチを置き、粉末を手で軽く押し付けて空気を押し出すことで達成した。
【００２０】
次に残りの５グラムを押し型に嵌め込んだ。錠剤の直径と高さとを測定し、容量と密度とを算出した。
【００２１】
３３００、７５００、１００００、１５０００及び２００００ｌｂｓ．の圧縮圧を、ＴＣ−２２３の粉末及び微細顆粒の処方についてテストした。両処方とも約０．２８ｍ３（１０立方フィート）のマリオンミキサー（Marion Mixer）を使用したパイロットテストから取った。
結果を次の表で要約する。
【表１】
2005517027.tif 000002
【００２２】
表から、最適の圧縮特性は微細顆粒の処方と関連し、また顆粒の処方での７５００lbs.の圧縮圧は、受容可能な密度の錠剤を得る下の方の限度として現れることが分かる。週あたり９グラムの仮想シロアリ摂食数を用い、十分な毒餌を加えればおよそ１０  1/2週持ちこたえることができる。所望の監視時間は少なくとも１２週（３ヶ月）である。微細顆粒の処方を用い圧縮圧を１０，０００lbs.まで高くすると、十分に錠剤化された、より高密度の錠剤が与えられ、概算監視時間が所望の１２週となった。微細顆粒の処方を用い１５，０００lbs.及び２０，０００lbs.の圧縮圧にすると、やはりどちらも十分に錠剤化され、監視時間もそれぞれ１３週及び１４週に延長された。
上表に記載の結果に基づき、最適の圧縮／密度パラメーターは１０，０００lbs.の圧縮圧、１．１９６ｇｍ／ｍｃの密度、３．３２の圧縮比率、及び６８８．７１ｋｇ／ｃｍ２の領域圧縮圧であることが分かる。
【実施例２】
【００２３】
次の毒餌組成物を製造し錠剤化した。
Dimilin            ５．５６グラム
Solka Floc顆粒    ９４．４４グラム
直径約５．７１５ｃｍ（２．２５インチ）の押型を有するカーバープレスを使い、２０，０００lbs.の錠剤化圧力で４０グラムのスラグ状錠剤をつくった。次に手動製粉器で「スラグ」を顆粒に粉砕した。顆粒を１２／２０及び２０／４５メッシュの大きさに変えた。余分は１２メッシュの篩に通してすりこぎを使って手で粉にした。次に２０／４５メッシュの顆粒を、カーバープレスを使い１０，０００の錠剤化圧力で５グラムの直径約３．１７５ｃｍ（１．２５インチ）の錠剤にした。
【００２４】
上記を鑑みれば、本発明のいくつもの目的は達成され、その他の有利な結果も達成されることが分かる。
【産業上の利用可能性】
【００２５】
本発明の範囲から逸脱することなく上記の方法と組成物とにさまざまな変更がなされ得る一方、上記に含まれかつ添付図面に示したすべての事柄は、説明のためであり制限する意味合いのものではないと解釈すべきである。
【国際調査報告】
2005517027.tif 000003